(57)【特許請求の範囲】
【請求項１】
ヘルメット着用者の顔面保護具をヘルメットに取り付けるための顔面保護具用アタッチメントであって、
前記ヘルメットの帽体に形成されたつばを弾性的な圧力によって挟むことが可能な挟圧部と、前記帽体の外側において前記挟圧部から前記帽体の上方へ延びた先端部が前記帽体に圧接可能な外側部と、前記挟圧部から前記帽体の内側へ延びて前記ヘルメットに圧接可能な内側部とを有し、
前記外側部には、前記顔面保護具の所要部位を着脱可能な支持部が形成され、
前記内側部には、前記帽体および前記帽体の内側にセットされた着装体のいずれかに対して前記帽体の周方向から当接して前記アタッチメントの前記周方向への動きを阻止することのできるストッパー部が形成されていることを特徴とする前記アタッチメント。
【請求項２】
前記ストッパー部は、前記帽体の前記周方向において離間する二部分を有し、前記二部分は前記帽体及び前記着装体のいずれかにおける所要部位を前記周方向の両側から挟むことが可能であり、前記ヘルメットに取り付けられた前記アタッチメントが前記周方向へ動くと、前記二部分のうちのいずれかが前記所要部位に当接する請求項１記載のアタッチメント。
【請求項３】
前記二部分は、前記帽体の内側へ延びた前記内側部の先端部分が前記周方向へ延びる連結部を介してつながっている請求項２記載のアタッチメント。
【請求項４】
前記ストッパー部は、前記帽体および前記着装体のいずれかに形成されていて前記周方向で離間対向している二つの部位の間に進入し、前記アタッチメントが前記周方向へ動くと、前記二つの部位のいずれかに当接して前記アタッチメントの動きを阻止することができる請求項１記載のアタッチメント。
【請求項５】
前記支持部は、前記外側部において着脱可能な状態にあるボルトによって形成されている請求項１記載のアタッチメント。
【請求項６】
前記ボルトは、前記帽体の外面に当接可能なものである請求項５記載のアタッチメント。
【請求項７】
前記支持部は、前記帽体の周方向へ延びるように前記外側部に形成されている透孔である請求項１記載のアタッチメント。
【発明の詳細な説明】
【技術分野】
【０００１】
この発明は、ヘルメットともに着用するゴーグル等の顔面保護具をヘルメットに取り付けるためのアタッチメントに関する。
【背景技術】
【０００２】
工事用や防災用のヘルメットを着用するときに、そのヘルメットとともにゴーグルやフェイスシールド等の顔面保護具を着用することがあることはよく知られている。さらには、顔面保護具をヘルメットに取り付けるためのアタッチメントも知られている。
【０００３】
そのアタッチメントの一例には、特開２００１−１０４３６４号公報（特許文献１）に記載のリブ付きヘルメットの保護具用保持クリップがある。そのクリップは、ヘルメットの下端部周縁に形成されたリブを挟むための狭持部と、リブとヘルメットの外面との間に形成されたリブ溝に嵌めるための屈曲部と、屈曲部の上方にあって先端部がヘルメットの外面を押圧した状態になるとともに、ヘルメットの外面との間に空間部を形成する係止部とを有している。このヘルメットとともに着用するゴーグルは、クリップの係止部とヘルメットの外面との間に形成される筒状の空間部に装着用バンドを通すことによってヘルメットと一体になり、ゴーグルを顔面から外してもヘルメットからは外れ落ちるということがない。
【先行技術文献】
【特許文献】
【０００４】
【特許文献１】特開２００１−１０４３６４号公報
【発明の概要】
【発明が解決しようとする課題】
【０００５】
前記従来のクリップは、ゴーグルがヘルメットから外れ落ちることを防止することができても、クリップがヘルメットの周方向へ動くことを防ぐことができない。ヘルメットの着脱を繰り返しているうちに、ヘルメットの左右両側に使用してあるクリップそれぞれが動いてヘルメットの左右でクリップの位置の違いが大きくなると、着用したゴーグルはそれを水平な状態に保つことが難しくなったり、顔面にフィットさせることが難しくなったりするという問題を生じることがある。
【０００６】
この発明が課題とするところは、顔面保護具をヘルメットに取り付けるためのアタッチメントに対して、それがヘルメットの周方向へ動くことがないように改良を施すことにある。
【課題を解決するための手段】
【０００７】
前記課題を解決するために、この発明が対象とするのは、ヘルメット着用者の顔面保護具をヘルメットに取り付けるための顔面保護具用アタッチメントである。
【０００８】
また、この発明が特徴とするところは、次のとおりである。すなわち、前記アタッチメントは、前記ヘルメットの帽体に形成されたつばを弾性的な圧力によって挟むことが可能な挟圧部と、前記帽体の外側において前記挟圧部から前記帽体の上方へ延びた先端部が前記帽体に圧接可能な外側部と、前記挟圧部から前記帽体の内側へ延びた内側部とを有する。前記外側部には、前記顔面保護具の所要部位を着脱可能な支持部が形成されている。前記内側部には、前記帽体および前記帽体の内側にセットされた着装体のいずれかに対して前記帽体の周方向から当接して前記アタッチメントの前記周方向への動きを阻止することのできるストッパー部が形成されている。
【０００９】
この発明の実施態様の一つにおいて、前記ストッパー部は、前記帽体の前記周方向において離間する二部分を有し、前記二部分は前記帽体及び前記着装体のいずれかにおける所要部位を前記周方向の両側から挟むことが可能であり、前記ヘルメットに取り付けられた前記アタッチメントが前記周方向へ動くと、前記二部分のうちのいずれかが前記所要部位に当接する。
【００１０】
この発明の実施態様の一つにおいて、前記二部分は、前記帽体の内側へ延びた前記内側部の先端部分が前記周方向へ延びる連結部を介してつながっている。
【００１１】
この発明の実施態様の一つにおいて、前記ストッパー部は、前記帽体および前記着装体のいずれかに形成されていて前記周方向で離間対向している二つの部位の間に進入し、前記アタッチメントが前記周方向へ動くと、前記二つの部位のいずれかに当接して前記アタッチメントの動きを阻止することができる。
【００１２】
この発明の実施態様の一つにおいて、前記支持部は、前記外側部において着脱可能な状態にあるボルトによって形成されている。
【００１３】
この発明の実施態様の一つにおいて、前記ボルトは、前記帽体の外面に当接可能なものである。
【００１４】
この発明の実施態様の一つにおいて、前記支持部は、前記帽体の周方向へ延びるように前記外側部に形成されている透孔である。
【発明の効果】
【００１５】
この発明に係るアタッチメントは、それをヘルメットに取り付けたときに、ヘルメットの帽体および着装体のいずれかに対して帽体の周方向から当接してアタッチメントの周方向への動きを阻止することのできるストッパー部が形成されているから、ヘルメットの着脱を繰り返しても、アタッチメントがヘルメットの周方向へ動くことはない。
【図面の簡単な説明】
【００１６】
【図１】ヘルメットの側面図。
【図２】アタッチメントの斜視図。
【図３】図１のＩＩＩ−ＩＩＩ線断面図。
【図４】図３のＩＶ−ＩＶ線切断面を示す図。
【図５】図３のＶ−Ｖ線切断面を示す図。
【図６】実施態様の一例を示す図２と同様な図。
【図７】図６のアタッチメントの使用態様を示す図４と同様な図。
【図８】実施態様の一例を示す図６と同様な図。
【図９】実施態様の一例を示す図３と同様な図。
【発明を実施するための形態】
【００１７】
添付の図面を参照してこの発明に係るヘルメットの顔面保護具用アタッチメントの詳細を説明すると、以下のとおりである。
【００１８】
図１は、工事用や防災用のものとして使用されるヘルメット１の左側面を示す図であり、そのヘルメット１にはゴーグル２がアタッチメント３を介して取り付けられている。ヘルメット１は、プラスチックや繊維強化プラスチック等で形成された帽体１１と、帽体１１の内側に取り付けられた着装体４６（図３，４参照）と、一部分のみが示されている締紐１３とを有するもので、図には幅方向（図４参照）と前後方向と上下方向とが双頭矢印Ｘ，Ｙ，Ｚで示されている。帽体１１は、上下方向Ｚの下方につば１６を有し、そのつば１６は柔軟な縁ゴム１７によって被覆されている。図示してはいないが、帽体１１は、締紐１３を除くと、幅方向Ｘにおいて左右対称に形成されている。なお、この発明において、ヘルメット１の側面に対して前後方向Ｙというときの前後方向は、ヘルメット１の周方向Ｅと実質的な意味において一致している。
【００１９】
ゴーグル２は、ヘルメット着用者の顔面保護具の一例であって、ヘルメット１の前方に位置し、柔軟なゴムやプラスチックで形成されたフレーム２１と、フレーム２１に取り付けられていて透明なプラスチックやガラスで形成されているレンズ２２と、バックル２３を介してフレーム２１に長さ調節可能に取り付けられていてヘルメット２の後方に向かって延びており、弾性的に伸長収縮するバンド２４と、バンド２４の後端部にあって、硬質プラスチックで形成されている取付具２６とを有する。取付具２６は、前方にバンド２４の後端部に対する第１取付部２６ａを有し、後方にアタッチメント３に対する第２取付部２６ｂを有する。第２取付部２６ｂには、透孔２７が形成されている。図において実線で示されているゴーグル２は、ヘルメット着用者（図示せず）の顔面から外されて、フレーム２１がバンド２４の収縮力によって帽体１１の前方部分に対して密着している。仮想線で示されているゴーグル２は、着用状態にあるもので、実線で示されているゴーグル２がアタッチメント３における後記支持部３３を中心に旋回して、フレーム２１がヘルメット着用者の顔面（図示せず）に密着している。
【００２０】
アタッチメント３は、ヘルメット１の周方向Ｅにおいて対向するように形成されていて縁ゴム１７を介してつば１６をつば１６の厚さ方向において弾性的な力で挟んでいる二条の、換言すると前後方向Ｙにおいて離間した二部分からなる挟圧部３１と、二条の挟圧部３１の上方に位置する外側部３２ａとを有している。外側部３２ａには、帽体１１の径方向外側に向かって延びる円柱状の支持部３３が形成されている（図２参照）。その支持部３３に取付具２６が取り付けられているゴーグル２は、支持部３３を中心に双頭矢印Ａで示す方向へ往復旋回運動することができる。
【００２１】
図２は、アタッチメント３の斜視図である。アタッチメント３における二条の挟圧部３１のそれぞれは、帽体１１の外側に位置させる第１部位３６と、帽体１１の内側に位置させる第２部位３７と、第１，第２部位３６，３７をつなぎ湾曲した状態にある第３部位３８とを有する。二条の挟圧部３１の上方には、帽体１１の外側に位置させる外側部３２ａが形成されている（図１参照）。外側部３２ａには支持部３３が形成されている。外側部３２ａの頂部には、帽体１１の外面に圧接することができるようにその外面に向かって延びる屈曲部位３５が形成されている（図３参照）。二条の挟圧部３１それぞれにおける第２部位３７の延長上には、後記するように帽体１１の内側へ延びる内側部３２ｂが形成されている（図３参照）。その内側部３２ｂには、ストッパー部３９が形成されている。周方向Ｅで対向しているストッパー部３９どうしは、周方向Ｅへ延びる連結部４１を介してつながっている。連結部４１は、内側部３２ｂのそれぞれが周方向Ｅにおいて揺動することを防いでいる。
【００２２】
アタッチメント３は挟圧部３１がつば１６を挟むときに双頭矢印Ｂで示された方向に弾性的に変形して拡開することができるとともに、外側部３２ａが帽体１１の外面に圧接したときに矢印Ｃで示された方向へ弾性変形することができるように、弾性変形容易な熱可塑性合成樹脂で形成されていることが好ましい。
【００２３】
図３は、図１のＩＩＩ−ＩＩＩ線断面図であって、図２におけるアタッチメントが図１に例示の如くヘルメット１に取り付けられているときの状態を示している。図３のヘルメット１は、帽体１１と、帽体１１の内側にセットされた着装体の一つであるハンモック４６とを有し、そのハンモック４６は下端部分４７がリベット１１ａを介して帽体１１に固定されている。ヘルメット１が着用状態にあるときには、変形容易に形成されたハンモック４６が着用者の頭部に接触し、比較的硬質な材料で形成されている帽体１１や発泡スチロール等で形成された衝撃吸収ライナー（図示せず）が頭部に接触することを防いでいる。帽体１１に形成されているつば１６は、Ｕ字形断面を有する縁ゴム１７によって被覆されている。
【００２４】
図３におけるアタッチメント３では、外側部３２ａにおける屈曲部位３５が帽体１１の外面に圧接している。挟圧部３１は、第１部位３６と第２部位３７または第１部位３６と第３部位３８とがつば１６を覆う縁ゴム１７に圧接している。第２部位３７からヘルメット１の内側へ延びている内側部３２ｂは、その頂部４３が帽体１１の内面に圧接している。図３の状態にあるアタッチメント３と図２の状態にあるアタッチメント３とを対比すると、図３のアタッチメント３では、挟圧部３１における第１部位３６と第２部位３７とが双頭矢印Ｂで示す方向における離間寸法を大きくするように弾性変形し、外側部３２ａが矢印Ｃ方向へ弾性変形し、内側部３２ｂが矢印Ｄ方向へ弾性変形している。これらの弾性変形の結果として、挟圧部３１がつば１６をつば１６の厚さ方向から弾性的な圧力によって挟み、外側部３２ａと内側部３２ｂとが帽体１１に対してその内外から圧接して、アタッチメント３がヘルメット１に対して外れて落ちることがないように取り付けられている。
【００２５】
図４は、図３のＩＶ−ＩＶ線切断面を示す図である。図４において、帽体１１の内側には、ハンモック４６の下端部４７と、アタッチメント３の内側部３２ｂとが見えている。その下端部４７は、リベット１１ａ（図３参照）を介して帽体１１の内面に固定されている。内側部３２ｂでは、二つのストッパー部３９が帽体１１の周方向Ｅにおいて下端部４７に当接または接近している。それゆえ、アタッチメント３が帽体１１の周方向Ｅへ動こうとすると、二つのストッパー部３９のいずれかがハンモック４６の下端部４７に衝接してアタッチメント３の動きを止め、アタッチメント３を帽体１１における一定の位置に止めておくことができる。
【００２６】
図５は、図３のＶ−Ｖ線切断面を示す図であるが、形状の理解を容易にするために、帽体１１の一部分とゴーグル２における取付具２６の一部分とが仮想線で書き加えられている。図５には、アタッチメント３のうちの外側部３２ａと、外側部３２ａからヘルメット１の径方向外方へ延びる円柱状の支持部３３とが見えている。その支持部３３には、小径部３３ａと大径部３３ｂとが形成されている。ゴーグル２における取付具２６の第２取付部２６ｂに形成された透孔２７には、アタッチメント３の支持部３３が嵌合している。取付具２６と支持部３３とは、図示の状態にあるときに互いの嵌合は外れることがなく、取付具２６が支持部３３に対して周方向Ｅの後方へスライドすると互いの嵌合が外れるように形成されている。その取付具２６における第１取付部２６ａの透孔２８には大径部２８ａと小径部２８ｂとが形成されていて、大径部２８ａに嵌合しているバンド２４の後端部２４ａは、バンド２４が前方へ引っ張られたときの抜け止めとして作用している。図１におけるヘルメット１では、ゴーグル２が実線で示された状態にあるときにも、仮想線で示された着用状態にあるときにも、ゴーグル２のバンド２４にはそれを弾性的に伸長するような張力が作用している。その張力は、アタッチメント３をヘルメット１のつば１６に沿って周方向Ｅの前方へ移動させるように作用する。しかし、アタッチメント３は、ストッパー部３９がハンモック４６に衝接するので移動することがない。したがって、ヘルメット１では、その着脱を繰り返しても、左右のアタッチメント３の位置に違いを生じることがなく、ゴーグル２が旋回するときの中心の位置は常に一定している。
【００２７】
図６，７は、実施態様の一例を示す図２，４と同様な図である。図６のアタッチメント３は、内側部３２ｂと連結部４１とを有しているが、ストッパー部３９が内側部３２ｂにおける周方向Ｅの両側に形成されている。図７において明らかなように、内側部３２ｂは連結部４１とともに、帽体１１の内側にセットされていて、周方向Ｅにおいて互いに離間している内装体６０の部分６０ａと６０ｂとの間にある。ストッパー部３９のそれぞれは、周方向Ｅにおいて、部分６０ａまたは部分６０ｂと対向している。アタッチメント３が周方向Ｅへ動こうとすると、ストッパー部３９のいずれかが部分６０ａまたは部分６０ｂに衝接して、アタッチメント３の動きを止めることができる。
【００２８】
図８もまた、実施態様の一例を示す図２と同様な図である。図８のアタッチメント３では、外側部３２ａに周方向Ｅへ延びる透孔６６が形成されている。透孔６６は、ゴーグル２のバンド２４を挿通することができて、ゴーグル２に対して図２の支持部３３に代わる支持部として使用することができる。バンド２４が帽体１１を巻回するように使用されるものである場合には、図８の態様のアタッチメント３を使用することが好ましい。
【００２９】
図９もまた、実施態様の一例を示す図３と同様な図である。図９のアタッチメント３には、図２の支持部３３に代わるものとしてボルト６８が使用されている。ボルト６８はアタッチメント３の外側部３２ａに形成されたねじ孔６９に取り付けられていて、頭部７１にはゴーグル２の取付具２６を図１と同様に取り付けることができる。また、脚部７２の先端を帽体１１に対して圧接することによって、アタッチメント３がヘルメット１から脱落することを防ぐことができる。
【００３０】
これまでの図示例において、アタッチメント３はゴーグル２をヘルメット１に取り付けるためのものであったが、この発明に係るアタッチメントは、フェイスシールド等のゴーグル以外の顔面保護具をヘルメット１に取り付けるためのものとして使用することができる。
【符号の説明】
【００３１】
１    メルメット
２    顔面保護具（ゴーグル）
３    アタッチメント
１６    つば
３１    挟圧部
３２ａ    外側部
３２ｂ    内側部
３３    支持部
３９    ストッパー部
４１    連結部
４６    着装体
６６    透孔
６８    ボルト
Ｅ    周方向
【図１】
0005460655.tif 000002
【図２】
0005460655.tif 000003
【図３】
0005460655.tif 000004
【図４】
0005460655.tif 000005
【図５】
0005460655.tif 000006
【図６】
0005460655.tif 000007
【図７】
0005460655.tif 000008
【図８】
0005460655.tif 000009
【図９】
0005460655.tif 000010